(57)【要約】      （修正有）【課題】帽子頭頂部に固定したファンモーターを回し、風を帽子本体内側に向けて吹き出させることにより、帽子本体内側沿いに下に向かって空気の流れを発生させ、頭部から出る熱や湿気等を強制的に排出させる帽子を提供する。【解決手段】帽子の頭頂部に空気の取り込み穴１があり、空気を横から吹き出させるファンモーター３を、帽子頭頂部内側の空気取り込み穴１の真下に取り付け固定する。ファンモーター３から帽子本体９内側沿いに下に向かって、頭部から出る熱や湿気等をスムーズに強制排出させるためのメッシュ状汗取り部４と、頭部と帽子本体９内側との空間を確保する為の空間確保物５を、帽子の縁に沿って取りつける。【選択図】図２
0003147469.tif 000002
【実用新案登録請求の範囲】
【請求項１】
帽子頭頂部に空気取り入れ口1を設け、その下にファンモーター3をメッシュ状収納袋2に入れ固定、もしくは帽子に直接取り付け固定、ファンモーター３により空気が直接頭部に当たるのではなく、帽子本体内側９に沿って下側に、空気の流れを作り、頭部の熱や湿気等を強制排出させることを特徴とするファンモーターによる清涼帽子。
【請求項２】
帽子の汗取り部４にメッシュ状の素材を使用し、かつ空間確保物５により髪の毛と帽子本体内側９との空間を確保し、空気の流れを良くさせる。外部電源BOX７で稼働させることを特徴とする請求項１記載のファンモーターによる清涼帽子。
【考案の詳細な説明】
【技術分野】
【０００１】
本考案は、帽子に取り付けられたファンモーターにより、帽子内の熱及び湿気等を強制排除し、爽やかにする帽子に関するものである。
【背景技術】
【０００２】
帽子頭頂部に空気取り入れ口1を設け、その下にファンモーター3を固定し、ファンモーター３により空気が直接頭部に当たるのではなく、帽子本体内側９に沿って下側に空気の流れを作り、頭部の熱や湿気等を強制排出させる。ファンモーター３は、不測の故障や帽子の洗濯等のことを考え、メッシュ状収納袋２から簡単に取り外しができる又、ファンモーターを直接取り付けた場合は、ファンモーターカバーを取り外して帽子本体からはずす。この場合でもメッシュでファンモーターをカバーする。これは、髪の毛の巻き込み防止の為に使用する。
【０００３】
従来の帽子の汗取り部は、帽子のかぶりを安定させ、頭部から出る汗を吸収し、顔などに直接汗が流れ落ちるのを防止するものであるが、帽子の汗取り部４にメッシュ状の素材を使用し、かつ３ｍｍ〜８ｍｍ程度の空間確保する物５により髪の毛と帽子本体内側との空間を確保し、一気に帽子本体内側９を沿いながら、メッシュ状汗取り部４を通して頭部からの熱や湿気を帽子内から帽子外に強制排除させるものとなっている。
【特許文献１】特開平７−３５１２号公報
【考案の開示】
【考案が解決しようとする課題】
【０００４】
解決しようとする問題点は、帽子内の熱や湿気等を逃がす方法として、帽子内に取り付けられたファンからの空気を直接、頭頂部に吹き付ける方法では頭全体を均一に爽やかにするには問題がある。
【課題を解決するための手段】
【０００５】
本考案は上記問題点に鑑み、帽子頭頂部に空気取り入れ口1を設け、その下にファンモーター3をメッシュ状収納袋2に入れ固定、もしくは帽子に直接取り付け固定、ファンモーター３により空気が直接頭部に当たるのではなく、帽子本体内側９に沿って下側に、空気の流れを作り、頭部の熱や湿気等を強制排出させることを特徴とする。
【０００６】
さらに、帽子の汗取り部４にメッシュ状の素材を使用し、かつ空間確保物５により髪の毛と帽子本体内側９との空間を確保し、空気の流れを良くさせる。外部電源BOX７で稼働させると好ましい。
【考案の効果】
【０００７】
本考案は、空気を横から吹き出させるファンを使用することで、帽子本体内側沿いに下方への空気の流れを作り、帽子汗取り部にメッシュ状の素材を使用し、かつ３ｍｍ〜８ｍｍ程度の空間確保する物により髪の毛と帽子本体内側との空間を確保し、頭全体を均一に爽やかにさせることを最も主要な特徴とする。
【考案を実施するための最良の形態】
【０００８】
帽子汗取り部にメッシュ状の素材の使用と３ｍｍ〜８ｍｍ程度の空間確保する物の使用により、帽子本体一体化による、製造過程の簡略化と軽量化を実現した。
【実施例１】
【０００９】
図2は、本考案の帽子の断面図であって、1〜9は、図２と同様である。
【００１０】
本考案の帽子は、外部電源７を利用して、帽子頭頂部に固定したファンモーター３を回し、風を帽子本体内側９に向けて吹き出させることにより、帽子本体内側９沿いに下に向かって、空気の流れを発生させ、頭部から出る熱や湿気等を強制的に排出させる。それにより頭全体を爽やかにする帽子である。
【００１１】
具体的には、図に示すように、帽子の頭頂部に空気の取り込み穴１があり、ファンモーター３を、帽子頭頂部内側の空気取り込み穴１の真下に取り付け固定する。ファンモーターから帽子本体内側９沿いに下に向かって、頭部から出る熱や湿気等をスムーズに強制排出させるためのメッシュ状汗取り部４と、髪の毛と帽子本体内側９との空間を確保する為の物５を、帽子の縁に沿って取りつける。
【図面の簡単な説明】
【００１２】
【図１】帽子を斜めからみた図
【図２】帽子断面図
【図３】帽子底面図
【図４】ファンモーター収納袋にファンを収納した状態図
【図５】ファンモーターを直接帽子本体に取り付けた図
【図６】ファンモーターカバーをはずした図
【図７】メッシュ状汗取り部にスペンサーを組み合わせた図
【図８】メッシュ状汗取り部と空間確保物を組み合わせた図
【符号の説明】
【００１３】
１    帽子頭頂部穴
２    メッシュ状ファン収納袋
３    ファンモーター
４    メッシュ状汗取り部
５    空間確保物
６    モーター外部端子
７    外部電源
８    帽子サイズ調整アジャスター
９    帽子本体    
【図１】
0003147469.tif 000003
【図２】
0003147469.tif 000004
【図３】
0003147469.tif 000005
【図４】
0003147469.tif 000006
【図５】
0003147469.tif 000007
【図６】
0003147469.tif 000008
【図７】
0003147469.tif 000009
【図８】
0003147469.tif 000010
【手続補正書】
【提出日】平成20年10月24日(2008.10.24)
【手続補正１】
【補正対象書類名】実用新案登録請求の範囲
【補正対象項目名】全文
【補正方法】変更
【補正の内容】
【実用新案登録請求の範囲】
【請求項１】
帽子頭頂部に空気取り入れ口1を設け、その下に横方向に吹き出す電動ファン３をメッシュ状収納袋２に入れ取り付けるもしくは帽子に直接取り付け、外部電源により電動ファン３を起動させることにより、帽子本体９の内側に沿って空気の流れを作り、空気が直接頭部に当たるのではなく、頭部の熱や湿気等を外部に強制排出させる清涼帽子。
【請求項２】
帽子の汗取り部４にメッシュ状の素材を使用し、かつ汗取り部４と帽子本体９の内側との間に、空間確保物５を設けることにより髪の毛と帽子本体９の間に空間を確保し、空気の流れを良くさせる請求項１の清涼帽子。 
【手続補正２】
【補正対象書類名】明細書
【補正対象項目名】全文
【補正方法】変更
【補正の内容】
【考案の詳細な説明】
【技術分野】
【０００１】  本考案は、帽子に取り付けられた電動ファンにより、帽子内の熱及び湿気等を強制排除し、爽やかにする帽子に関するものである。
【背景技術】
【０００２】  帽子頭頂部に空気取り入れ口1を設け、その下に横方向に吹き出す電動ファン３を取り付け、外部電源７により電動ファン３を起動させることにより、帽子本体９の内側に沿って空気の流れを作り、空気が直接頭部に当たるのではなく、頭部の熱や湿気等を外部に強制排出させる。電動ファン３は、不測の故障や帽子の洗濯等のことを考え、電動ファンの取り出し可能で帽子本体９に固定されたメッシュ状収納袋２に収納する、あるいは電動ファンを本体部と着脱容易なカバー部に分離可能な構造にすることにより帽子本体９に直接取り付けることができ、よりスムーズな使用ができる。また、直接取り付ける場合でもメッシュで電動ファン３をカバーすることにより、髪の毛の巻き込み防止にも効果を発する。【０００３】  従来の帽子の汗取り部は、帽子のかぶりを安定させ、頭部から出る汗を吸収し、顔などに直接汗が流れ落ちるのを防止するものであるが、帽子の汗取り部４にメッシュ状の素材を使用し、かつ帽子本体９と汗取り部４のメッシュとの間に３ｍｍ〜８ｍｍ程度の空間確物５、を設けることにより髪の毛と帽子本体９の内側との間に空間を確保し、一気に帽子本体９の内側を沿いながら、メッシュ状汗取り部４を通して頭部からの熱や湿気を帽子内から帽子外に強制排除させるものとなっている。【特許文献１】特開平７−３５１２号公報
【考案の開示】
【考案が解決しようとする課題】
【０００４】  解決しようとする問題点は、帽子内の熱や湿気等を逃がす方法として、帽子内に取り付けられたファンからの空気を直接頭頂部に吹き付ける方法があるが、これでは頭頂部の近辺のみに風が集中し頭全体を均一に爽やかにするには問題があった。
【課題を解決するための手段】
【０００５】  本考案は、空気を横方向に吹き出す電動ファン３を使用することで、帽子本体９の内側沿いに下方への空気の流れを作り、帽子汗取り部にメッシュ状の素材を使用し、かつ３ｍｍ〜８ｍｍ程度の空間を確保する物５、により髪の毛と帽子本体内側との間に空間を確保し、頭全体を均一に爽やかにさせることを最も主要な特徴とする。
【考案の効果】
【０００６】 本考案の帽子によれば、帽子に取り付けられた電動ファンにより、帽子内の熱及び湿気等を強制排除し、爽やかにすることができる。
【考案を実施するための最良の形態】
【０００７】  帽子汗取り部にメッシュ状の素材の使用と３ｍｍ〜８ｍｍ程度の空間確保する物の使用。
【実施例１】
【０００８】  図2は、本考案の帽子の断面図であって、図４は、電動ファン３を電動ファン収納袋４に収納する、直接帽子本体９に電動ファンを取り付けた状態は、図２と同様である。図８は、メッシュ状汗取り部４に５との組み合わせにより、帽子内の熱や湿気を排出させるものである。
【図面の簡単な説明】
【０００９】
【図１】帽子を斜めからみた図
【図２】帽子断面図
【図３】帽子底面図
【図４】電動ファンを収納袋に収納した状態図
【図５】電動ファンを直接帽子本体に取り付けた図
【図６】電動ファンのカバーをはずした図
【図７】メッシュ状汗取り部と空間確保物を組み合わせた図
【符号の説明】
【００１０】  １    帽子頭頂部穴  ２    メッシュ状電動ファン収納袋  ３    電動ファン  ４    メッシュ状汗取り部  ５    空間確保物  ６    モーター外部端子  ７    外部電源  ８    帽子サイズ調整アジャスター  ９    帽子本体 
【手続補正３】
【補正対象書類名】図面
【補正対象項目名】全図
【補正方法】変更
【補正の内容】
【図１】
0003147469.tif 000011
【図２】
0003147469.tif 000012
【図３】
0003147469.tif 000013
【図４】
0003147469.tif 000014
【図５】
0003147469.tif 000015
【図６】
0003147469.tif 000016
【図７】
0003147469.tif 000017